(57)【要約】【課題】  電源ユニットの出力電圧が僅かに上昇してもそれを検知して表示する電圧異常検出手段を備えた電源装置を提供する。【解決手段】  直流電力を出力する電源ユニット１の出力部に、電源ユニット１の出力電圧をモニタしてリセット信号を出力するリセットＩＣ５と、リセット信号によりオン／オフ動作する第２の発光ダイオード６を有する電圧異常検出手段４を設けた。リセットＩＣ５は、電源ユニット１の定格出力電圧より高く、且つ１．５倍以下の特定の電圧にリセット動作電が設定され、モニタ電圧が特定の電圧以下ではリセット信号（ローレベル信号）を出力させて第２の発光ダイオード６をオフ操作し、特定電圧を超えたらリセット端子からハイレベルの信号を出力させて第２発光ダイオード６を発光動作させた。【選択図】  図１
2007318917.tif 000002
【特許請求の範囲】
【請求項１】
直流電力圧を出力する電源ユニットの出力部に、出力電圧の上昇を検知する電圧異常検出手段を備え、
当該異常電圧検出手段が、電源ユニットの出力電圧をモニタしてリセット信号を出力するリセットＩＣと、このリセット信号によりオン／オフ動作する発光ダイオードとを有し、
リセットＩＣは、電源ユニットの定格出力電圧より高く、且つ１．５倍以下の特定の電圧にリセット動作電圧が設定され、前記特定の電圧以下ではリセット信号により前記発光ダイオードはオフ操作されることを特徴とする電源装置。
【発明の詳細な説明】
【技術分野】
【０００１】
本発明は、電気・電子機器に直流電力を供給する電源装置に関する。
【背景技術】
【０００２】
電気・電子機器の電源として使用される直流電源装置は、通常過電圧保護回路が内蔵され、定格電圧に対して過大な電圧が出力されるような場合、出力を遮断するよう構成されている（例えば、特許文献１参照）。一例を示すと、直流３．３Ｖの定格出力に対しては、例えば６Ｖと言うような電圧が出力される状況が発生した場合に過電圧保護回路が動作して出力を遮断するよう構成されている。
【特許文献１】特開２０００−８７２３９号公報
【発明の開示】
【発明が解決しようとする課題】
【０００３】
しかしながら、上記過電圧保護回路は、電源ユニットの定格出力電圧に対して十分大きな電圧が発生した場合に対して動作する構成であるため、比較的小さな電圧の上昇に対しては動作せず、例えば定格３．３Ｖの出力に対して４Ｖの電圧が出力されても保護動作する事はなかった。しかしこの程度の電圧上昇でも負荷機器にレギュレータが備えられている場合、レギュレータの負担が大きくなり発熱等発生する場合があった。
【０００４】
そこで、本発明はこのような問題点に鑑み、電源ユニットの出力電圧が僅かに上昇してもそれを検知する電圧異常検出手段を備えた電源装置を提供することを目的とする。
【課題を解決するための手段】
【０００５】
上記課題を解決する為に、請求項１の発明に係る電源装置は、直流電力を出力する電源ユニットの出力部に、出力電圧の上昇を検知する電圧異常検出手段を備え、当該異常電圧検出手段が、電源ユニットの出力電圧をモニタしてリセット信号を出力するリセットＩＣと、このリセット信号によりオン／オフ動作する発光ダイオードとを有し、リセットＩＣは、電源ユニットの定格出力電圧より高く、且つ１．５倍以下の特定の電圧にリセット動作電圧が設定され、前記特定の電圧以下ではリセット信号により前記発光ダイオードはオフ操作されることを特徴とする。
この構成により、電源ユニットが特定の電圧以下の電圧を出力している時、例えば定格電圧を出力している場合やオフ状態にある時は、リセットＩＣはリセット信号を出力しているため、発光ダイオードが発光することがない。そして、電源ユニットの出力電圧が上昇して特定の電圧を超えたらリセットが解除されるので、発光ダイオードは発光動作を開始する。そのため、出力電圧が定格電圧より僅かに上昇しただけでもそれを検知できる。また、リセットＩＣと発光ダイオードを出力部に組み付ける簡易な回路構成で電圧異常検出手段を構成できる。
【発明の効果】
【０００６】
本発明によれば、出力電圧が定格電圧より僅かに上昇しただけでもそれを検知することが可能となる。また、リセットＩＣと発光ダイオードを出力部に加える簡易な回路構成で電圧異常検出手段を構成できる。
【発明を実施するための最良の形態】
【０００７】
以下、本発明を具体化した実施の形態を、図面に基づいて詳細に説明する。図１は本発明に係る電源装置の一例を示す回路図であり、１は直流電圧を出力して電力を供給する電源ユニット、２は電子機器等の負荷、３は出力のオン／オフを表示するための発光ダイオード（第１の発光ダイオード）、４は出力電圧の僅かな上昇を検知して報知する電圧異常検出手段である。
【０００８】
電圧異常検出手段４は、リセットＩＣ５と第２の発光ダイオード６を備え、双方とも電源ユニット１の出力間に並列に接続、即ちプラス端子８ａとマイナス端子８ｂの間に接続されている。リセットＩＣ５は、電圧をモニタする電圧モニタ端子５ａ、アース端子５ｂ、リセット信号を出力するリセット端子５ｃを有し、電圧モニタ端子５ａが電源ユニット１のプラス端子８ａに接続され、アース端子５ｂがマイナス端子８ｂに接続されている。また、リセット端子５ｃは、抵抗９ａを介して第の２発光ダイオード６のアノードに接続されると共に、抵抗９ｂを介してプラス端子８ａに接続されている。
【０００９】
そして、リセットＩＣ５がリセット動作する特定の電圧は、電源ユニット１の定格出力電圧より僅かに高い電圧に設定されている。例えば、電源ユニット１の定格出力電圧を３．３Ｖとすると、リセットＩＣ５の検出電圧（特定の電圧）は３．９Ｖ程度に設定される。このような特性のリセットＩＣとしては、例えばミツミ電機株式会社製ＰＳＴ６００Ｆがある。
【００１０】
この特定の電圧は、電源ユニット１に備えられている過電圧保護回路（図示せず）が動作しない電圧、即ち定格出力電圧を僅かに超えた電圧から過電圧保護回路が動作する電圧未満の範囲で設定され、具体的には定格電圧に対して１．１〜１．５０倍の範囲で設定するのが好ましい。１．１倍以下では、正常動作状態にあっても誤動作する危険性があるし、１．５倍を超えると過電圧保護回路での対応が可能であり、効果的ではなくなる。
【００１１】
上記構成の電圧異常検出手段４は次のように動作する。最初にリセットＩＣ５の検出電圧が上述するように設定される。検出電圧はリセットＩＣの種類により複数設定されており、好ましい特性のリセットＩＣを選択して使用する。上述するように、定格出力電圧が３．３Ｖの場合、リセット電圧が３．９ＶのリセットＩＣを選択する。
【００１２】
このように設定することで、電源ユニット１が正常な動作状態では、３．３Ｖの電圧を出力しているため、リセットＩＣ５は常にローレベルのリセット信号を出力している状態にある。そのため、第２の発光ダイオード６に駆動電圧が印加されるようなことが無く、発光動作することがない。また、３．３Ｖを下回る電圧や０Ｖ出力の状態でも、同様にリセット信号が出力されるため、発光ダイオードは発光動作しない。
【００１３】
しかし、電源ユニット１の出力が検出電圧（特定の電圧）の３．９Ｖを超えると、リセット端子５ｃはリセット信号の出力を停止してハイレベルの信号を出力する。その結果、第２の発光ダイオード６には、電源ユニット１の出力電圧が抵抗９ａ，９ｂを介して印加され、発光動作する。こうして、電圧の僅かな上昇を検知し報知動作する。
【００１４】
このように、電源ユニットが特定の電圧以下の電圧を出力している時は、リセットＩＣはリセット信号を出力しているため、発光ダイオードが発光することがない。そして、電源ユニットの出力電圧が上昇して特定の電圧を超えたらリセットが解除されるので、発光ダイオードは発光動作を開始する。そのため、出力電圧が定格電圧より僅かに上昇しただけでもそれを検知できる。また、リセットＩＣと発光ダイオードを出力部に組み付ける簡易な回路構成で電圧異常検出手段を構成できる。
【図面の簡単な説明】
【００１５】
【図１】本発明に係る電源装置の実施形態の一例を示す回路図である。
【符号の説明】
【００１６】
１・・電源ユニット、２・・負荷、４・・電圧異常検出手段、５・・リセットＩＣ、６・・第２の発光ダイオード。
【図１】
2007318917.tif 000003